(57)【要約】      （修正有）【課題】高圧電気を測定できる高圧測定装置を提供する。【解決手段】かかる高圧測定装置１０は、誘導装置２０と、アンプモジュール３０と、判断モジュール４０と、出力モジュール５０とを備える。誘導装置２０は高圧リード線２１と、被覆部材２２と、誘導リード線２３とを含み、被覆部材２２は高圧リード線２１の外部に繞設され、少なくとも１巻きの誘導リード線２３は被覆部材２２の外部に巻かれて、高圧電気が高圧リード線２１に流れると同時に誘導リード線２３には誘導電流が形成される。アンプモジュール３０は受信された信号を増幅した後に出力する。判断モジュール４０は受信された信号に基づいて、高圧リード線２１に流れる高圧電気の電圧を算出する。出力モジュール５０は判断モジュール４０の信号を受信する。【選択図】図２
0003188582.tif 000002
【実用新案登録請求の範囲】
【請求項１】
高圧電気を測定できる高圧測定装置であって、
高圧リード線と、被覆部材と、誘導リード線とを含み、前記被覆部材は前記高圧リード線の外部に繞設され、前記誘導リード線は少なくとも１巻きが前記被覆部材の外部に繞設され、高圧電気を前記高圧リード線に流れると同時に前記高圧リード線の周囲部に磁場を形成し、前記誘導リード線の電子を遷移させ、誘導電流を形成する誘導装置と、
前記誘導リード線の信号を受信し、受信した信号を増幅した後に出力するアンプモジュールと、
前記アンプモジュールによって増幅された信号を受信し、受信した信号に基づいて、前記誘導リード線の電圧と電流を逆推した上、前記高圧リード線に流れる高圧電気の電圧を算出する判断モジュールと、
前記判断モジュールの信号を受信する出力モジュールと、を備える、ことを特徴とする高圧電気を測定できる高圧測定装置。
【請求項２】
前記高圧リード線は高圧電気を流れることができ、前記被覆部材は耐高圧の絶縁材質から構成し、前記高圧リード線は長い帯状を形成する、ことを特徴とする請求項１記載の高圧電気を測定できる高圧測定装置。
【請求項３】
前記誘導リード線は前記被覆部材を複数巻いていて、前記誘導リード線は長い帯状を形成する、ことを特徴とする請求項１記載の高圧電気を測定できる高圧測定装置。
【請求項４】
前記誘導リード線は互いに離れる両端にて、それぞれ第１端と第２端とが形成され、前記アンプモジュールは第１入力端と第２入力端とが設けられ、前記アンプモジュールの前記第１入力端を前記誘導リード線の第１端に接続し、前記アンプモジュールの第２入力端を前記誘導リード線の前記第２端に接続し、前記アンプモジュールは所定の倍率を用いて、前記誘導リード線の電圧を増幅する、ことを特徴とする請求項１記載の高圧電気を測定できる高圧測定装置。
【請求項５】
前記判断モジュールは前記アンプモジュールに接続され、前記出力モジュールは前記判断モジュールに接続され、前記アンプモジュールは出力端を有し、前記判断モジュールは入力端を有し、前記判断モジュールの入力端は前記アンプモジュールの出力端に接続され、前記判断モジュールは出力端をさらに有し、前記出力モジュールは入力端を有し、前記出力モジュールの入力端は前記判断モジュールの出力端に接続され、前記出力モジュールによって、前記判断モジュールの信号を受信した後に、前記出力モジュールは前記判断モジュールの解析結果に基づいて、様々な信号を出力する、ことを特徴とする請求項１記載の高圧電気を測定できる高圧測定装置。
【請求項６】
前記出力モジュールは表示パネルを有し、前記表示パネルには第１指示灯と、第２指示灯と、第３指示灯とが設けられ、前記第１指示灯と、前記第２指示灯と、前記第３指示灯とは前記表示パネルの一つの縁部近傍に取り付けされ、かつ同じ直線に位置し、前記高圧リード線の電圧が３５００ボルトを超えるときに前記第１指示灯は点灯し、前記高圧リード線の電圧が３５００ボルトより低く、２５００ボルトを超えるときに前記第２指示灯は点灯し、さらに、前記高圧リード線の電圧が２５００ボルトより低いときに前記第３指示灯５５は点灯する、ことを特徴とする請求項５記載の高圧電気を測定できる高圧測定装置。
【考案の詳細な説明】
【技術分野】
【０００１】
本考案は電圧測定装置に関し、特に電磁誘導の原理を利用し、安全に電圧測定が行われる高圧電気を測定できる高圧測定装置に関する。
【背景技術】
【０００２】
現在に良く使用されている電圧測定の方式は、マルチメーターによる測定である。さらに、マルチメーターの測定方式は、２つのピンを稼働中の被測定電気装置の回路両端に接続することによって、被測定電気装置の消費電気を知ることができる。マルチメーターを用いた電圧測定の原理は、検流計を用いて高抵抗値の抵抗器に直列接続して、マルチメーターの２つのピンを被測定電気装置の両端に接続することによって、被測定電気装置との並列接続を形成し、高抵抗値の抵抗器によって、検流計に流れる電流を分圧させ、検流計で測定した電流値を直列接続された抵抗器の抵抗値に乗じることによって、電圧値が得られる。
【考案の概要】
【考案が解決しようとする課題】
【０００３】
しかし、一般のマルチメーターでは測定範囲は高くない、マルチメーターは非高圧電気しか適用できない、１０００ボルトを超える電圧を測定することができない。
【０００４】
さらに、マルチメーターを被測定電気装置の電気回路の両端に接続したときに、マルチメーター自体が電気回路の一部を構成し、マルチメーターの電流がマルチメーターに流して、従来の電気回路の電流を分散してしまい、被測定電気装置の稼働に影響を及ぼすため、マルチメーターによる長時間の持続的測定はできない。
【０００５】
さらに、マルチメーターを使用するには、電気回路が稼働されているときに、マルチメーターを電気回路に接続しなければならない。しかし、接続するときに導電部が外部に露出されるため、使用者の不適切な接続操作によって、漏電または使用者が感電する恐れがある。
【０００６】
本考案の主な目的は、測定プロセスにおいて、稼働中の電気回路にリード線を接続する必要がなく、電気回路が干渉されないほか、不適切な操作による電気回路の短絡または感電の危険を防げる高圧電気を測定できる高圧測定装置を提供することにある。
【課題を解決するための手段】
【０００７】
かかる高圧測定装置は、誘導装置と、アンプモジュールと、判断モジュールと、出力モジュールとを備え、誘導装置は高圧リード線と、被覆部材と、誘導リード線とを含み、被覆部材が高圧リード線の外部に繞設され、高圧電気が高圧リード線に流れると同時に高圧リード線の周囲部に磁場を形成し、誘導リード線の電子が遷移され、誘導電流が形成される。アンプモジュールによって誘導リード線の信号を受信して、受信された信号を増幅した後に出力させる。判断モジュールはアンプモジュールによって増幅された信号を受信し、受信された信号に基づいて、誘導リード線の電圧及び電流を逆推した後に高圧リード線に流れる高圧電気の電圧を算出する。出力モジュールによって判断モジュールの信号が受信される。
【考案の効果】
【０００８】
以下の説明内容から、本考案は以下の長所をまとめることができる。
【０００９】
本考案による高圧電気を測定できる高圧測定装置は、誘導装置と、アンプモジュールと、判断モジュールと、出力モジュールとを備え、誘導装置は高圧リード線と、被覆部材と、誘導リード線とを含み、被覆部材が高圧リード線の外部に繞設され、誘導リード線が少なくとも１巻きが被覆部材の外部に露出され、高圧電気が高圧リード線に流れると同時に、高圧リード線の周囲部に磁場を形成し、誘導リード線の電子が遷移され、誘導電流を形成される。アンプモジュールによって誘導リード線信号を受信して、受信された信号を増幅した後に出力させる。判断モジュールはアンプモジュールによって増幅された信号を受信し、受信された信号に基づいて、誘導リード線の電圧及び電流を逆推した後に高圧リード線に流れる高圧電気の電圧を算出する。出力モジュールによって判断モジュールの信号が受信される。測定プロセスにおいて、稼働中の電気回路にリード線を接続する必要がなく、電気回路が干渉されないほか、不適切な操作による電気回路の短絡または感電の危険を防げることができる。
【図面の簡単な説明】
【００１０】
【図１】本考案の高圧電気を測定できる高圧測定装置による電圧測定のフロー図である。
【図２】本考案の高圧電気を測定できる高圧測定装置による電圧測定の回路図である。
【図３】本考案の高圧電気を測定できる高圧測定装置を揚げ物調理器に適用された使用態様図である（その１）。
【図４】本考案の高圧電気を測定できる高圧測定装置を揚げ物調理器に適用された使用態様図である（その２）。
【考案を実施するための形態】
【実施例】
【００１１】
図１と図２、即ち、本考案の高圧電気を測定できる高圧測定装置による電圧測定のフロー図と、電圧測定の回路図とを参照する。本考案の測定装置１０による測定ステップは、誘導電気の形成ステップと、信号増幅ステップと、信号判断ステップと、信号出力ステップと、を含む。
【００１２】
（誘導電気の形成ステップ）
誘導電気の形成ステップにおいて、誘導装置２０が利用される。係る誘導装置２０は高圧リード線２１と、被覆部材２２と、誘導リード線２３とを含み、被覆部材２２を高圧リード線２１の外部に繞設し、本実施例において、被覆部材２２は耐高圧の絶縁材質から構成し、誘導リード線２３は互いに離れる両端にそれぞれ第１端２３１と、第２端２３２とが形成され、誘導リード線２３は第１端２３１と、第２端２３２との間の部位において、少なくとも１巻きが被覆部材２２の外部に繞設されており、本実施例において、誘導リード線２３が被覆部材２２に複数巻き巻かれていて、高圧リード線２１と誘導リード線２３とも長い帯状を形成する。
【００１３】
高圧リード線２１は高圧電気を流すに用いられ、高圧電気が高圧リード線２１に流れると同時に、高圧リード線２１の周囲部に磁場を形成して、誘導リード線２３内部の電子が遷移され、誘導電流が形成される。
【００１４】
（信号増幅ステップ）
アンプモジュール３０を用いて誘導リード線２３の信号を受信する。アンプモジュール３０を誘導リード線２３の両端に電気接続し、アンプモジュール３０は第１入力端３１と第２入力端３２とを有し、アンプモジュール３０の第１入力端３１を誘導リード線２３の第１端２３１に接続し、アンプモジュール３０の第２入力端３２を誘導リード線２３の第２端２３２に接続し、アンプモジュール３０によって、受信された信号を増幅して出力することができる。アンプモジュール３０は出力端３３をさらに有する。
【００１５】
誘導リード線２３が電磁誘導によって形成される電流が微小のため、アンプモジュール３０によって、誘導リード線２３の信号解析に備えて、所定の倍率により誘導リード線２３の電圧を増幅させる。
【００１６】
（信号判断ステップ）
判断モジュール４０は、アンプモジュール３０によって拡大された信号を受信する。判断モジュール４０はアンプモジュール３０に接続され、判断モジュール４０は出力端４１を有し、判断モジュール４０の入力端４１はアンプモジュール３０の出力端３３に接続され、判断モジュール４０は出力端４２をさらに有する。判断モジュール４０はアンプモジュール３０によって増幅された信号を解析し、判断モジュール４０は受信された信号に基づいて、誘導リード線２３の電圧と電流を逆推した上、さらに高圧リード線２１に流れる高圧電気の電圧を算出する。
【００１７】
（信号出力ステップ）
出力モジュール５０によって、判断モジュール４０の信号を受信し、出力モジュール５０は判断モジュール４０に接続され、出力モジュール５０に入力端５１が設けられ、出力モジュール５０の入力端５１が判断モジュール４０の出力端４２に接続されている。出力モジュール５０が判断モジュール４０の信号を受信し後、出力モジュール５０が判断モジュール４０の解析結果に基づいて、様々な信号を出力して、使用者の判読に備える。出力モジュール５０は矩形を形成する表示パネル５２を有し、表示パネル５２に第１指示灯５３と、第２指示灯５４と、第３指示灯５５とが設けられ、係る第１指示灯５３と、第２指示灯５４と、第３指示灯５５とが表示パネル５２の一つの縁部近傍に取り付けられ、かつ同じ直線に位置しており、高圧リード線２１の電圧が３５００ボルトを超えるときに第１指示灯５３が点灯し、高圧リード線２１の電圧が３５００ボルトより低く、２５００ボルトを超えるときに第２指示灯５４が点灯し、さらに、高圧リード線２１の電圧が２５００ボルトより低いときに第３指示灯５５が点灯する。
【００１８】
前述測定方法の測定方式によれば、電気回路にリード線を接続する必要がないため、電気回路が干渉されない、不適切操作による電気の短絡または感電の危険性もない。さらに、被覆部材２２は耐高圧の絶縁材質から構成しており、高圧リード線２１の電気漏れを有効に遮断し、作業員の安全が確保される。
【００１９】
引き続き図３と図４、即ち、本考案の高圧電気を測定できる高圧検出装置を揚げ物調理器に適用した使用態様図（その１及びその２）を参照する。測定装置１０を揚げ物調理器９０に適用させ、揚げ物調理器９０は電源装置９１とヒーター９２とを有し、測定装置１０を電源装置９１とヒーター９２との間に取り付けて、電源装置９１より電気を供給してヒーター９２を加熱させ、ヒーター９２が油を加熱して、揚げ物調理器９０による揚げ物作業に用いられる。電源装置９１から６０００ボルトの高圧電気が提供され、食物が電力の影響による変質を防いで、食用者に食品安全及び健康が提供される。
【００２０】
測定装置１０を電源装置９１とヒーター９２との間に取付けて、測定装置１０によって電源装置９１の出力電圧を測定し、表示パネル５２を揚げ物調理器９０に取り付けて置き、作業員の視認に備える。第１指示灯５３が点灯したときは、電源装置９１から正常に電気供給されていることを示し、作業員は作業を継続できる。
【００２１】
揚げ物調理器９０による揚げ物作業のときに、食材が落として不純物を形成し、または揚げ油が長時間にさらして高温変質することがあり、揚げ油が変質すると、電源装置９１の電圧に影響を与えて、電源装置９１の供給電圧が低下することがある。第２指示灯５４が点灯したときは、電源装置９１の供給電圧が低すぎることを示し、作業員は電源装置９１が正常に稼働されているかを確認するとともに、揚げ物調理器９０の揚げ油の準備に取りかかる。
【００２２】
さらに、使用時間がさらに経過すると、第３指示灯５５が点灯され、揚げ物調理器９０の揚げ油の交換を促し、揚げ物の食安全を確保し、食用者の健康を守る。
【符号の説明】
【００２３】
１０  測定装置
２０  誘導装置
２１  高圧リード線
２２  被覆部材
２３  誘導リード線
２３１  第１端
２３２  第２端
３０  アンプモジュール
３１  第１入力端
３２  第２入力端
３３  出力端
４０  判断モジュール
４１  入力端
４２  出力端
５０  出力モジュール
５１  入力端
５２  表示パネル
５３  第１指示灯
５４  第２指示灯
５５  第３指示灯
９０  揚げ物調理器
９１  電源装置
９２  ヒートチューブ
【図１】
0003188582.tif 000003
【図２】
0003188582.tif 000004
【図３】
0003188582.tif 000005
【図４】
0003188582.tif 000006